(57)【要約】【課題】容易に、かつ安全に、引下線を高所に架設されている高圧線に接続することのできる引下線固定具を提供する。【解決手段】引下線８１を高所に架設された高圧線９１に接続する際に用いる引下線固定具１であって、引下線８１に固定される引下線固定部１１と、高圧線９１に固定される高圧線固定部３１とを有し、引下線固定部１１は、地上において手作業により引下線８１に固定可能であり、さらに引下線固定部１１は、引下線８１の高圧線９１への接続時に、引下線８１の先端である接続部８２にかかる張力を軽減可能に引下線８１の張力を受ける支持手段２１を有し、引下線８１を高圧線９１に掛け回すことなく固定可能である。【選択図】図１
2014233167.tif 000002
【特許請求の範囲】
【請求項１】
引下線を高所に架設された高圧線に接続する際に用いる引下線固定具であって、
前記引下線に固定される引下線固定部と、前記高圧線に固定される高圧線固定部とを有し、
前記引下線固定部は、地上において手作業により前記引下線に固定可能であり、さらに前記引下線固定部は、前記引下線の前記高圧線への接続時に、前記引下線の先端である接続部にかかる張力を軽減可能に前記引下線を支持する支持手段を有し、前記引下線を前記高圧線に掛け回すことなく固定可能なことを特徴とする引下線固定具。
【請求項２】
さらに前記高圧線にスライド自在に引っ掛かる引掛手段を有し、前記高圧線を挟持する引下線コネクタが前記引下線の先端である接続部に設けられており、前記引掛手段により前記高圧線に引掛けられた状態で前記高圧線上をスライドさせて前記引下線コネクタの挟持位置を調節可能なことを特徴とする請求項１に記載の引下線固定具。
【請求項３】
前記高圧線固定部は、先端に間接活線工具を引掛ける工具引掛手段を有し、前記高圧線に仮止めされた状態で前記工具引掛手段に前記間接活線工具を引掛けて操作することで前記高圧線に固定可能なことを特徴とする請求項１又は２に記載の引下線固定具。
【請求項４】
前記高圧線固定部は、棒状部材又は管状部材から成り、螺旋形状であり、前記高圧線に巻き付け可能に螺旋の内径が前記高圧線の直径以上であることを特徴とする請求項１から３のいずれか１項に記載の引下線固定具。
【請求項５】
前記高圧線固定部の螺旋の巻数は、前記間接活線工具を用いて前記高圧線に固定可能な最小の巻数であることを特徴とする請求項４に記載の引下線固定具。
【請求項６】
前記引下線固定部は、棒状部材又は管状部材から成り、螺旋形状であり、前記引下線に巻き付け可能に螺旋の内径が前記引下線の直径以上であり、さらに前記螺旋形状が前記引下線を支持する前記支持手段であり、
前記高圧線固定部は、螺旋の巻数が前記引下線固定部の螺旋の巻数に比して少ない、及び／又は螺旋のピッチが前記引下線固定部の螺旋のピッチに比して長いことを特徴とする請求項４又は５に記載の引下線固定具。
【請求項７】
前記引下線固定部と前記高圧線固定部とは、一体的に形成された片側同士であり、直角に配置されていることを特徴とする請求項１から６のいずれか１項に記載の引下線固定具。
【発明の詳細な説明】
【技術分野】
【０００１】
本発明は、引下線（高圧引下線）を高所に架設された高圧線（高圧架空電線）に接続する際に用いる引下線固定具に関する。
【背景技術】
【０００２】
高圧線に接続された引下線の断線等のトラブルを予防するためには、引下線の接続部に過度な張力が加わらないようにする必要がある。引下線の接続部に過度な張力が加わることを防止する方法として、碍子を用いて引下線を支持、固定する方法がある。これまでに引下線を碍子に支持、固定させる支持部材、方法が種々開発されており、例えば、引下線又は碍子の向きに制約がある場合に、角度を有した支持部材を介して引下線を碍子に支持、固定させる技術が提示されている（例えば、特許文献１参照）。
【０００３】
また碍子を用いずに引下線を処理する方法として、高圧線との接続部付近でヤットコ等の間接活線工具を用いて引下線を高圧線に一周掛け回すことで引下線の接続部に加わる張力を軽減させる方法が採用されている。
【０００４】
このとき引下線の掛け回し部での振動及び応力集中による断線を防止するために、引下線及び高圧線それぞれを固定するグリップ部を備え、両グリップ部間を弾性体とした高圧引下げ線用保持具がある（例えば、特許文献２参照）。これにより引下線と高圧線とを保持することで、引下線全体の振動を吸収して断線を防止することができる。
【０００５】
また高所において引下線と高圧線との接続を容易に行うことができるように、接続部である引下線の先端に設けられ、高圧線の被接続部を挟持することで接続が可能な引下線コネクタが種々開発されている（例えば、特許文献３参照）。
【先行技術文献】
【特許文献】
【０００６】
【特許文献１】特開２００１−７８３３９号公報
【特許文献２】特開２００９−２９６７２０号公報
【特許文献３】特開２０１３−４１７３２号公報
【発明の概要】
【発明が解決しようとする課題】
【０００７】
特許文献１に記載の発明のような引下線の処理に碍子を用いる方法は、碍子の設置コストがかかるとともに、引下線を碍子に支持、固定する際の作業量が多く、コスト高である。
【０００８】
また特許文献２に記載の発明のような引下線を高圧線に掛け回す方法では、ヤットコ等の間接活線工具の操作に熟練を要する点、引下線及び高圧線の架設位置によっては短絡の危険性がある点、高圧線が垂直配列の場合には作業者が高圧線に接近するため多くの防具が必要になる点、引下線の固定が不確実である点等の課題がある。
【０００９】
また特許文献３に記載の引下線コネクタを用いるときには、引下線コネクタが高圧線の被接続部を挟持するように引下線の位置を調節する必要があるが、引下線を高圧線に掛け回す場合、位置が合うまで何度も掛け回し作業を行う必要があり作業者の負担が大きい。
【００１０】
本発明の目的は、容易に、かつ安全に、引下線を高所に架設されている高圧線に接続することのできる引下線固定具を提供することである。
【課題を解決するための手段】
【００１１】
本発明は、引下線を高所に架設された高圧線に接続する際に用いる引下線固定具であって、前記引下線に固定される引下線固定部と、前記高圧線に固定される高圧線固定部とを有し、前記引下線固定部は、地上において手作業により前記引下線に固定可能であり、さらに前記引下線固定部は、前記引下線の前記高圧線への接続時に、前記引下線の先端である接続部にかかる張力を軽減可能に前記引下線を支持する支持手段を有し、前記引下線を前記高圧線に掛け回すことなく固定可能なことを特徴とする引下線固定具である。
【００１２】
本発明によれば、引下線に固定される引下線固定部を有し、引下線固定部は、地上において手作業により引下線に固定可能なので、高所での作業量を軽減することができる。また引下線固定部が、引下線の接続時に引下線の先端である接続部にかかる張力を軽減可能に引下線を支持する支持手段を有し、引下線を高圧線に掛け回すことなく固定可能なので、容易に、かつ安全に作業を行うことができる。
【００１３】
また本発明において、さらに前記高圧線にスライド自在に引っ掛かる引掛手段を有し、前記高圧線を挟持する引下線コネクタが前記引下線の先端である接続部に設けられており、前記引掛手段により前記高圧線に引掛けられた状態で前記高圧線上をスライドさせて前記引下線コネクタの挟持位置を調節可能なことを特徴とする。
【００１４】
本発明によれば、さらに高圧線にスライド自在に引っ掛かる引掛手段を有し、高圧線上をスライドさせて引下線コネクタの挟持位置を調節可能なので、引下線の固定位置を容易に決めることができる。
【００１５】
また本発明において、前記高圧線固定部は、先端に間接活線工具を引掛ける工具引掛手段を有し、前記高圧線に仮止めされた状態で前記工具引掛手段に前記間接活線工具を引掛けて操作することで前記高圧線に固定可能なことを特徴とする。
【００１６】
本発明によれば、高圧線固定部は、先端に間接活線工具を引掛ける工具引掛手段を有し、高圧線に仮止めされた状態で工具引掛手段に間接活線工具を引掛けて操作することで高圧線に固定可能なので、従来の間接活線工具を用いて容易に作業を行うことができる。
【００１７】
また本発明において、前記高圧線固定部は、棒状部材又は管状部材から成り、螺旋形状であり、前記高圧線に巻き付け可能に螺旋の内径が前記高圧線の直径以上であることを特徴とする。
【００１８】
また本発明において、前記高圧線固定部の螺旋の巻数は、前記間接活線工具を用いて前記高圧線に固定可能な最小の巻数であることを特徴とする。
【００１９】
本発明によれば、高圧線固定部は、棒状部材又は管状部材から成り、螺旋形状であり、高圧線に巻き付け可能に螺旋の内径が高圧線の直径以上であり、螺旋の巻数が間接活線工具を用いて高圧線に固定可能な最小の巻数なので、間接活線工具を用いて容易に高圧線に固定することができる。また螺旋形状により巻き付いて高圧線に固定されるので、固定が確実である。
【００２０】
また本発明において、前記引下線固定部は、棒状部材又は管状部材から成り、螺旋形状であり、前記引下線に巻き付け可能に螺旋の内径が前記引下線の直径以上であり、さらに前記螺旋形状が前記引下線を支持する前記支持手段であり、前記高圧線固定部は、螺旋の巻数が前記引下線固定部の螺旋の巻数に比して少ない、及び／又は螺旋のピッチが前記引下線固定部の螺旋のピッチに比して長いことを特徴とする。
【００２１】
本発明によれば、引下線固定部は、螺旋形状であり、該螺旋形状が引下線の固定と引下線の先端である接続部にかかる張力を軽減可能に引下線を支持する支持手段とを兼用するので、非常にコンパクトである。また高圧線固定部は、螺旋の巻数が引下線固定部の螺旋の巻数に比して少なく、及び／又は螺旋のピッチが引下線固定部の螺旋のピッチに比して長いので、間接活線工具を用いての作業が容易である。
【００２２】
また本発明において、前記引下線固定部と前記高圧線固定部とは、一体的に形成された片側同士であり、直角に配置されていることを特徴とする。
【００２３】
本発明によれば、引下線固定部と高圧線固定部とは、一体的に形成されているので、製造が容易であり、非常にコンパクトである。
【発明の効果】
【００２４】
本発明によれば、容易に、かつ安全に、引下線を高所に架設されている高圧線に接続して固定することができ、引下線と高圧線との固定を確実に行うことができる。また本発明の引下線固定具は、高圧線が水平配列の場合においても、垂直配列の場合においても適用することができる。
【図面の簡単な説明】
【００２５】
【図１】本発明の第１実施形態である引下線固定具１により引下線８１を高圧線９１に固定した状態を示す図及び切断線Ａ−Ａで切断した断面図である。
【図２】図１の引下線固定具１の正面図である。
【図３】図１の引下線固定具１に引下線８１を固定した状態を示す図である。
【図４】図１の引下線固定具１を高圧線９１に引掛けた状態を示す図である。
【図５】図１の引下線固定具１を高圧線９１に仮止めした状態を示す図である。
【図６】図１の引下線固定具１を高圧線９１に固定している状態を示す図である。
【図７】本発明の第２実施形態である引下線固定具２により引下線８１を高圧線９１に固定した状態を示す図である。
【発明を実施するための形態】
【００２６】
図１は、本発明の第１実施形態である引下線固定具１により引下線８１を高圧線９１に固定した状態を示す図及び切断線Ａ−Ａで切断した断面図である。図２は、引下線固定具１の正面図である。図３は、引下線固定具１に引下線８１を固定した状態を示す図である。図４は、引下線固定具１を高圧線９１に引掛けた状態を示す図である。図５は、引下線固定具１を高圧線９１に仮止めした状態を示す図である。図６は、引下線固定具１を高圧線９１に固定している状態を示す図である。
【００２７】
本発明の第１実施形態である引下線固定具１は、引下線８１に固定される引下線固定部１１と、高圧線９１に固定される高圧線固定部３１と、間接活線工具７２を引掛ける工具引掛手段４１と、高圧線９１にスライド自在に引っ掛かる引掛手段５１とを有し、引下線８１を高所に架設された高圧線９１に接続する際に引下線８１を高圧線９１に固定させる。
【００２８】
引下線固定具１は、一体的に形成され直角に屈曲した棒状部材であり、屈曲部を挟んで片側が引下線固定部１１であり、反対側が高圧線固定部３１である。また引下線固定具１は、高圧線固定部３１の先端に工具引掛手段４１を備え、屈曲部に引掛手段５１を備える。なお引下線固定具１は、管状部材で形成されていてもよい。
【００２９】
引下線固定具１の材質は、例えば、金属に絶縁被膜を施したものを好適に用いることができるが、特定の材質に限定されるものではなく、絶縁性能を有する樹脂等を用いてもよい。また間接活線工具７２を用いて作業を行う際に容易に変形しない強度を有していることが好ましい。さらに長期間、屋外において使用されるため風雨や日光にさらされても劣化し難いものを用いると好ましい。
【００３０】
引下線固定部１１は、螺旋形状であり、引下線８１に巻き付けられ、摩擦力により支持、固定される。引下線固定部１１の螺旋の内径は、引下線８１に巻き付けることができるように、引下線８１の直径以上となるように設定される。引下線固定部１１の長さは、引下線８１に巻き付けられたとき摩擦力により支持、固定される長さがあればよく、必要以上に長くする必要はない。長さを例示すれば１００ｍｍ程度である。
【００３１】
また引下線固定部１１の螺旋のピッチ及び巻き数は、特定のものに限定されるものではない。引下線固定部１１は、手作業で引下線８１に巻き付けることができるので、螺旋のピッチが短く、巻き数が多くても作業性が著しく低下するものではない。
【００３２】
また引下線固定部１１の螺旋の根元部２１は、引下線８１の張力を支持する支持手段となる。引下線８１と高圧線９１とを支持手段なしで接続すると、引下線８１の接続部８２、高圧線９１の被接続部９２、及び後述する引下線コネクタ８３に引下線８１の自重がかかり、当該部分が引張られ、断線等のトラブルを招く恐れがある。これを防止すべく接続部８２の近傍に、引下線８１を支持し引下線８１の接続部８２等に張力が加わらないようにする支持手段が必要となる。本実施形態においては、引下線固定部１１の螺旋の根元部２１が支持手段となる。支持手段は、引下線８１の自重に加え、風等により引下線８１が振動したときの荷重を支持可能な強度を有している必要がある。
【００３３】
高圧線固定部３１は、引下線固定部１１と同様、螺旋状であり、高圧線９１に巻き付けられ、摩擦力により支持、固定される。高圧線固定部３１の螺旋の内径は、引下線固定部１１の螺旋の内径と同様、高圧線９１に巻き付けることができるように、高圧線９１の直径以上となるように設定される。高圧線固定部３１の長さは、高圧線９１に巻き付けられたとき摩擦力により支持、固定される長さがあればよく、必要以上に長くすべきではない。高圧線固定部３１は、引下線固定部１１と異なり、高所においてバインド打ち器等の間接活線工具７２を用いて高圧線９１に巻き付けられるため、必要以上に長くすると巻き付け操作が大変である。長さを例示すれば１００ｍｍ程度である。
【００３４】
また高圧線９１には、直径の異なるものが何種類かあるため、架設されている高圧線９１の直径に合わせて高圧線固定部３１の螺旋の内径が異なる複数種類の引下線固定具１を用意すると、引下線８１と高圧線９１とを確実に固定することができ好ましい。なお従来の引下線８１を高圧線９１に掛け回して固定する方法では、引下線８１と高圧線９１とを完全に固定しているわけではない。このことを考えれば本実施形態においても螺旋の内径を最も直径の大きい高圧線９１に合わせた引下線固定具１を１つ準備し、これを直径の小さい高圧線９１に使用してもよい。
【００３５】
高圧線固定部３１は、高所においてバインド打ち器等の間接活線工具７２を用いて高圧線９１に巻き付けられる。このため高圧線固定部３１の螺旋のピッチは、短すぎると間接活線工具７２による巻き付け時の作業性が大きく低下するため、高圧線９１に固定可能で、かつ間接活線工具７２による巻き付け作業が容易な長さに設定される。同様に高圧線固定部３１の螺旋の巻き数は、多すぎると作業性が大きく低下するため、高圧線９１に固定可能で、かつ間接活線工具７２による巻き付け作業が容易な巻き数、好ましくは高圧線９１に固定可能な最小の巻き数に設定される。このような巻き数としては、おおよそ２回程度が好ましい。
【００３６】
工具引掛手段４１は、高圧線固定部３１の先端に設けられ、間接活線工具７２を引掛けることができるように輪状に形成されている。工具引掛手段４１の形状は、特定の形状に限定されるものではなく、例えば、Ｕ字状に形成されていてもよく、使用する間接活線工具の種類等に応じて適宜決めることができる。
【００３７】
引掛手段５１は、Ｕ字状のフックであり、高圧線９１に上方からスライド自在に引掛けることができる。引掛手段５１は、特定のものに限定されるものではなく、例えば、カラビナ、ナスカン等を用いてもよく、高圧線９１にスライド自在に引掛けることができればよい。カラビナ、ナスカン等の輪状の引掛手段（図示省略）を用いると、引掛ける際に多少手間がかかるが、引掛手段の外れを防止することができる。
【００３８】
引掛手段５１は、高圧線固定部３１を高圧線９１に固定容易なように、引下線固定具１を高圧線９１に引掛けたときに高圧線９１の中心軸と高圧線固定部３１の螺旋の中心軸とが一致するように設けられていると好ましい。但し、これに限定されるものではなく、後述する仮止めの際に高圧線９１の中心軸と高圧線固定部３１の螺旋の中心軸とが一致可能に設けられていればよい。
【００３９】
引下線８１は、先端の接続部８２に引下線コネクタ８３を備え、該引下線コネクタ８３により高圧線９１の絶縁被覆が剥された被接続部９２を挟持することで高圧線９１に接続される。
【００４０】
引下線コネクタ８３は、挟持部８４を備えるクリップ様の導電性コネクタであり、引下線８１の接続部８２が接続された状態で高圧線９１の被接続部９２を挟持部８４で挟持し、引下線８１と高圧線９１とを電気的に接続する。引下線コネクタ８３は、例えば、本件出願人が出願した特開２０１３−４１７３２号公報に記載の引下線コネクタを用いることができる。
【００４１】
次に、引下線固定具１を用いて引下線８１を高圧線９１に接続して固定する作業について説明する。まず引下線固定部１１を手作業により引下線８１に巻き付け固定する（図３参照）。このとき引下線固定部１１の螺旋の根元部２１から引下線コネクタ８３までの引下線８１の長さは、適宜調節して決めればよいが、長すぎると引下線８１の接続部８２、引下線コネクタ８３及び高圧線９２の被接続部９２に加わる張力が大きくなるので、不必要に長くすべきではない。
【００４２】
引下線８１を固定した後は、ヤットコ等の間接活線工具（図示省略）を用いて引下線固定具１を把持し、引掛部５１を高所に架設された高圧線９１に引掛ける。引掛部５１を高圧線９１に引掛けた後は、引下線コネクタ８３が高圧線９１の被接続部９２を挟持可能なように引下線固定具１をスライドさせて位置調節を行う（図４参照）。
【００４３】
引下線固定具１の位置が決まった後は、ストレーリンクトング等の仮止め具７１を用いて高圧線固定部３１の根元付近を高圧線９１に仮止めする（図５参照）。このとき高圧線固定部３１の螺旋の中心軸が高圧線９１の中心軸に一致するように仮止めを行う。
【００４４】
引下線固定具１を仮止めした後は、バインド打ち器、ヤットコ又はタイスティックハンマー等の間接活線工具７２を用いて、間接活線工具７２の先端を工具引掛手段４１に引掛け、仮止めされている高圧線固定部３１の根元を支点にして高圧線固定部３１を高圧線９１に巻き付けて固定する（図６参照）。このとき高圧線固定部３１を変形させながら巻き付けるのではなく高圧線固定部３１が螺旋に沿って巻き付くので、間接活線工具７２による作業が非常に容易である。
【００４５】
高圧線固定部３１を高圧線９１に固定した後は、ヤットコ等の間接活線工具（図示省略）を用いて、引下線コネクタ８３を把持して挟持部８４を広げ、該挟持部８４により高圧線９１の被接続部９２を挟持させる（図１参照）。このとき支持手段である引下線固定部１１の螺旋の根元部２１に引下線８１が支持されているので、引下線８１の接続部８２、引下線コネクタ８３及び高圧線９２の被接続部９２に加わる張力が軽減される。このため従来のように引下線８１を高圧線９１に掛け回すことなく引下線８１を高圧線９１に固定することができる。
【００４６】
以上のように本発明の第１実施形態である引下線固定具１を用いると、引下線８１を高圧線９１に掛け回すことなく固定することができるので、作業が容易であり、かつ安全である。また引下線固定部１１及び高圧線固定部３１により引下線８１及び高圧線９１を確実に固定することができる。さらに引下線８１の固定を地上において手作業で行うことができるので、高所での間接活線工具を用いての作業量を減らすことができる。
【００４７】
また高圧線９１が垂直配列の場合においても、引下線８１を高圧線９１に掛け回す必要がなく、さらに引下線固定具１が非常にコンパクトなので、短絡の危険性が低く作業を安全に行うことができ、作業者の負担が軽減される。
【００４８】
図７は、本発明の第２実施形態である引下線固定具２により引下線８１を高圧線９１に固定した状態を示す図である。第１実施形態に示す引下線固定具１と同一の構成には、同一の符号を付して説明を省略する。第２実施形態の引下線固定具２は、第１実施形態の引下線固定具１と基本的構成は同じであるが、引下線固定部１２と高圧線固定部３１との角度が異なる。
【００４９】
第２実施形態の引下線固定具２は、直角に屈曲されておらず、引下線固定部１２と高圧線固定部３１とが水平に配置されている。このように配置することで、特に、高圧線９１が狭い間隔で垂直配列されている場合に引下線固定具２が高圧線９１に接触する危険性をさらに低下させることができる。
【００５０】
以上第１、第２実施形態の引下線固定具を用いて、本発明の引下線固定具を説明したが、本発明の引下線固定具は、上記実施形態に限定されるものではない。引下線固定部１は、螺旋により引下線８１に固定されたが、これに限定されるものではなく、例えば、複数のバインド線（図示省略）等を用いて引下線８１に結束して固定されていてもよい。このとき引下線８１を支持し引下線８１の接続部８２等に張力が加わらないようにする支持手段は、引下線８１の接続部８２に最も近いバインド線となる。引下線固定部１は、手作業で引下線８１に固定することができるので、作業が多少複雑になっても著しく作業性が低下することはない。
【００５１】
また、第１、第２実施形態の引下線固定具１、２では、フック型式の引掛手段５１を備えるが、フック型式の引掛手段５１に代え、高圧線固定部３１の螺旋形状の一部を引掛手段５１としてもよい。また引下線固定部１１、１２を構成する棒状部材（管状部材）において、引下線固定部１１、１２と高圧線固定部３１との境界をフック形状とし、これを引掛手段５１としてもよい。
【００５２】
引下線固定部１１と高圧線固定部３１との配置（角度）は、特定の角度に限定されるものではなく、高圧線９１の架設状況等によって適宜決めることができる。
【００５３】
また高圧線固定部３１の固定作業は、間接活線工具７２を用いて行ったが、これに限定されるものではなく、防具を装着した状態で直接活線作業により高圧線固定部３１を高圧線９１に固定してもよい。
【符号の説明】
【００５４】
１、２                      引下線固定具
１１、１２                  引下線固定部
２１                        螺旋の根元部
３１                        高圧線固定部
４１                        工具引掛手段
５１                        引掛手段
７１                        間接活線工具
８１                        引下線
８２                        接続部
８３                        引下線コネクタ
９１                        高圧線
９２                        被接続部
【図１】
2014233167.tif 000003
【図２】
2014233167.tif 000004
【図３】
2014233167.tif 000005
【図４】
2014233167.tif 000006
【図５】
2014233167.tif 000007
【図６】
2014233167.tif 000008
【図７】
2014233167.tif 000009